(57)【要約】【課題】錘をハンマー本体にしっかりと取り付けることができ、両者によるハンマーの組立に加えて、分解も容易に行うことができる電子鍵盤楽器のハンマーを提供する。【解決手段】左右方向の一方に開放する錘取付け部２７を有するハンマー本体２４と、被取付け部２９を介してハンマー本体２４に着脱自在に取り付けられた錘２５と、を備え、ハンマー本体２４の錘取付け部２７は、錘２５の被取付け部２９と相補的な形状を有する開口部２８と、被取付け部２９を、開口部２８を介して嵌め込まれる嵌込み位置と、嵌込み位置から左右方向と異なる方向にずれた固定位置との間で、スライド可能に収容する収容部３５と、被取付け部２９が固定位置に位置するときに、被取付け部２９を開口部２８から脱離不能に係止する係止部３６ｂ〜３９ｂと、被取付け部２９を嵌込み位置へスライド不能に保持するための保持部４１、４２と、を有している。【選択図】図２
2011022472.tif 000002
【特許請求の範囲】
【請求項１】
押鍵された鍵と連動して回動することにより、当該鍵にタッチ重さを付与する電子鍵盤楽器のハンマーであって、
樹脂成形品で構成され、前後方向に延びる錘取付け部を有するハンマー本体と、
このハンマー本体よりも比重の大きな材料で構成され、前記錘取付け部に取り付けられる被取付け部を有し、当該被取付け部を介して前記ハンマー本体に着脱自在に取り付けられた錘と、を備え、
前記ハンマー本体の前記錘取付け部は、
左右方向の一方に開放し、前記錘の前記被取付け部と相補的な形状を有する開口部と、
この開口部に連なり、前記被取付け部を、当該開口部を介して嵌め込まれる嵌込み位置と、この嵌込み位置から左右方向と異なる方向にずれた固定位置との間で、スライド可能に収容する収容部と、
前記開口部の周縁部に設けられ、前記被取付け部が前記固定位置に位置するときに、当該被取付け部を前記開口部から脱離不能に係止する係止部と、
前記被取付け部が前記固定位置に位置するときに、当該被取付け部を前記嵌込み位置へスライド不能に保持するための保持部と、
を有していることを特徴とする電子鍵盤楽器のハンマー。
【請求項２】
前記保持部は、前記被取付け部に係合し、当該被取付け部が前記固定位置に位置するときに当該被取付け部の前記嵌込み位置へのスライドを阻止するとともに、当該被取付け部に前記嵌込み位置への所定の大きさ以上の外力が作用したときに当該被取付け部の前記嵌込み位置へのスライドを許容するフックを有していることを特徴とする請求項１に記載の電子鍵盤楽器のハンマー。
【請求項３】
前記保持部は、前記収容部の内面から内方に突出し、前記被取付け部に係合する係合凸部を、さらに有していることを特徴とする請求項２に記載の電子鍵盤楽器のハンマー。
【請求項４】
前記収容部の内面には、前記被取付け部に圧接し、当該被取付け部のがたつきを抑制するための突起が設けられていることを特徴とする請求項１ないし３のいずれかに記載の電子鍵盤楽器のハンマー。
【発明の詳細な説明】
【技術分野】
【０００１】
本発明は、電子ピアノなどの電子鍵盤楽器に鍵ごとに設けられ、押鍵時に鍵にタッチ重さを付与するための電子鍵盤楽器のハンマーに関する。
【背景技術】
【０００２】
従来、電子ピアノのハンマーとして、特許文献１に開示されたものが知られている。このハンマーは、鍵盤を支持する鍵盤シャーシに、鍵ごとに回動自在に取り付けられており、押鍵された鍵に連動して回動することにより、その鍵に所定のタッチ重さを付与する。これにより、電子ピアノにおいて、アコースティックピアノに近似したタッチ感が得られる。
【０００３】
上記のハンマーは、対応する鍵の下方に配置されており、鍵の長さ方向に沿って延びる金属製のハンマー本体と、このハンマー本体の側面に装着され、鍵盤シャーシに回動自在に支持された合成樹脂製のハンマーホルダとを備えている。ハンマー本体は、所定形状の金属板で構成されており、具体的には、前端部の側面形状が後方に開放するコ字状に形成され、後端部の側面形状が比較的大きな三角形状に形成されている。
【０００４】
一方、ハンマーホルダは、所定形状の成形品で構成されており、ハンマー本体の前端部に装着されている。具体的には、このハンマーホルダは、ハンマー本体に装着された状態において、その前端部のコ字状の内側に軸受部を有するとともに、その上下においてハンマー本体に装着される装着部を有している。この装着部は、ハンマー本体の装着すべき部位の側面形状に対応するように形成された本体部と、この本体部の上下の縁部に沿うように設けられた鍔部とにより、断面コ字状に形成されており、各鍔部の本体部と反対側の端部には、ハンマー本体を、その厚さ方向に本体部とで挟み込むための複数の挟み片が設けられている。また、本体部には、装着部の内方に突出する係合部が設けられており、この係合部が、ハンマー本体の所定位置に形成された係止孔に係合することにより、ハンマー本体に対するハンマーホルダのずれやがたつきが抑制されるようになっている。
【０００５】
このように構成されたハンマーホルダは、次のようにして、ハンマー本体に装着される。すなわち、ハンマーホルダの本体部を、ハンマー本体の装着すべき部位に合わせて、ハンマー本体側に押圧する。この場合、ハンマーホルダの各挟み片は、ハンマー本体の幅方向（上下方向）に押し広げられ、ハンマー本体の上下の縁部を乗り越えることにより、ハンマー本体を間にした状態で、本体部と反対側に達する。これにより、ハンマーホルダは、本体部と各挟み片とによって、ハンマー本体をその厚さ方向に挟んだ状態で、ハンマー本体に装着される。
【先行技術文献】
【特許文献】
【０００６】
【特許文献１】特開２００６−３４９５号公報（［００２９］、図１、３〜５）
【発明の概要】
【発明が解決しようとする課題】
【０００７】
上述したように、このハンマーでは、その組立時に、ハンマーホルダの各挟み片を押し広げながら、ハンマーホルダをハンマー本体に装着するので、ハンマーホルダ自体が比較的硬質の合成樹脂材料で構成されている場合には、比較的大きな押圧力が必要となる。また、上記のハンマーを備えた電子ピアノを廃棄処分する際に、ハンマーを分解し、金属製のハンマー本体と合成樹脂製のハンマーホルダとに分別する場合、両者を上記と逆の手順で分解しようとすると、その作業が非常に煩雑である。以上のように、上記のハンマーでは、ハンマー本体およびハンマーホルダによるハンマーの組立および分解作業が煩雑である。また、ハンマー本体およびハンマーホルダの製造上の不可避的な寸法誤差などにより、ハンマー本体とハンマーホルダの装着部の内面との間に隙間が生じるおそれがあり、この場合には、押鍵に伴うハンマーの回動時に、がたつきが生じたり、それによる雑音が発生したりすることがある。
【０００８】
本発明は、以上のような課題を解決するためになされたものであり、ハンマー本体と錘を備えたハンマーにおいて、錘をハンマー本体にしっかりと取り付けることができ、また、両者によるハンマーの組立に加えて、分解も容易に行うことができる電子鍵盤楽器のハンマーを提供することを目的とする。
【課題を解決するための手段】
【０００９】
上記の目的を達成するために、請求項１に係る発明は、押鍵された鍵と連動して回動することにより、鍵にタッチ重さを付与する電子鍵盤楽器のハンマーであって、樹脂成形品で構成され、前後方向に延びる錘取付け部を有するハンマー本体と、このハンマー本体よりも比重の大きな材料で構成され、錘取付け部に取り付けられる被取付け部を有し、被取付け部を介して前記ハンマー本体に着脱自在に取り付けられた錘と、を備え、ハンマー本体の錘取付け部は、左右方向の一方に開放し、錘の被取付け部と相補的な形状を有する開口部と、この開口部に連なり、被取付け部を、開口部を介して嵌め込まれる嵌込み位置と、この嵌込み位置から左右方向と異なる方向にずれた固定位置との間で、スライド可能に収容する収容部と、開口部の周縁部に設けられ、被取付け部が固定位置に位置するときに、被取付け部を開口部から脱離不能に係止する係止部と、被取付け部が固定位置に位置するときに、被取付け部を嵌込み位置へスライド不能に保持するための保持部と、を有していることを特徴とする。
【００１０】
この構成によれば、樹脂成形品で構成されたハンマー本体が、前後方向に延びる錘取付け部を有する一方、ハンマー本体よりも比重の大きな材料で構成された錘が、ハンマー本体の錘取付け部に取り付けられる被取付け部を有している。また、ハンマー本体の錘取付け部は、左右方向の一方に開放し、錘の被取付け部と相補的な形状の開口部を有していて、この開口部に収容部が連なっている。この収容部は、錘の被取付け部を、開口部を介して嵌め込まれる嵌込み位置と、この嵌込み位置から左右方向と異なる方向にずれた固定位置との間でスライド可能に収容するように構成されている。
【００１１】
ハンマーの組立時にはまず、錘の被取付け部を、ハンマー本体の開口部を介して、収容部に嵌め込む。そして、嵌込み位置の被取付け部を固定位置にスライドさせる。これにより、固定位置の被取付け部が、ハンマー本体の開口部の周縁部に設けられた係止部によって係止され、開口部から離脱不能な状態になる。また、この被取付け部は、保持部によって、嵌込み位置へスライド不能に保持される。以上のように、簡単な作業によって、ハンマーを容易に組み立てることができ、錘をハンマー本体にしっかりと取り付けることができる。また、ハンマーをハンマー本体と錘に分解する場合には、保持部による被取付け部の保持を解除しながら、または解除してから、固定位置の被取付け部を嵌込み位置にスライドさせる。そして、錘の被取付け部を、ハンマー本体の錘取付け部から、その開口部を介して取り外す。このように、ハンマーの分解も、容易に行うことができる。
【００１２】
請求項２に係る発明は、請求項１に記載の電子鍵盤楽器のハンマーにおいて、保持部は、被取付け部に係合し、被取付け部が固定位置に位置するときに被取付け部の嵌込み位置へのスライドを阻止するとともに、被取付け部に嵌込み位置への所定の大きさ以上の外力が作用したときに被取付け部の嵌込み位置へのスライドを許容するフックを有していることを特徴とする。
【００１３】
この構成によれば、保持部が、錘の被取付け部に係合するフックを有しており、このフックにより、固定位置に位置する被取付け部の嵌込み位置へのスライドが阻止されるので、被取付け部を固定位置にしっかりと保持することができる。また、上記のフックは、固定位置に位置する被取付け部に嵌込み位置への所定の大きさ以上の外力が作用したときに、被取付け部の嵌込み位置へのスライドを許容する。したがって、ハンマーを分解する場合、錘の被取付け部に対し、上記の外力を作用させながら、被取付け部を嵌込み位置にスライドさせるだけで、錘をハンマー本体から容易に取り外すことができる。
【００１４】
請求項３に係る発明は、請求項２に記載の電子鍵盤楽器のハンマーにおいて、保持部は、収容部の内面から内方に突出し、被取付け部に係合する係合凸部を、さらに有していることを特徴とする。
【００１５】
この構成によれば、保持部として、請求項２のフックに加えて、収容部の内面から内方に突出する係合凸部が、錘の被取付け部に係合することにより、その被取付け部を固定位置に、よりしっかりと保持することができる。
【００１６】
請求項４に係る発明は、請求項２または３に記載の電子鍵盤楽器のハンマーにおいて、収容部の内面には、被取付け部に圧接し、被取付け部のがたつきを抑制するための突起が設けられていることを特徴とする。
【００１７】
この構成によれば、ハンマー本体の収容部の内面に設けられた突起が、錘の被取付け部に圧接する。例えば、被取付け部の表面と収容部の内面とが互いに面接触するように構成されている場合、製造上の不可避的な寸法誤差などによって、両者の間に隙間が生じると、ハンマーの回動時に、錘がハンマー本体に対してがたついてしまうおそれがある。したがって、上記の構成によれば、ハンマー本体に対する錘のがたつきを効果的に抑制することができる。
【図面の簡単な説明】
【００１８】
【図１】本発明の第１実施形態によるハンマーを備えた電子ピアノの鍵盤装置を示す側面図であり、（ａ）は離鍵状態、（ｂ）は白鍵の押鍵状態を示す。
【図２】（ａ）はハンマーの側面図、（ｂ）は、ハンマー本体の錘取付け部および錘の被取付け部を、互いに分離した状態で拡大して示す側面図である。
【図３】ハンマー本体から錘を取り外した状態を示す斜視図である。
【図４】ハンマーの組立手順を説明するための説明図である。
【図５】（ａ）は、本発明の第２実施形態によるハンマーの側面図、（ｂ）は、ハンマー本体の錘取付け部および錘の被取付け部を、互いに分離した状態で拡大して示す側面図である。
【図６】図５のハンマーの組立手順を説明するための説明図である。
【発明を実施するための形態】
【００１９】
以下、図面を参照しながら、本発明の好ましい実施形態を詳細に説明する。図１は、本発明の第１実施形態によるハンマーを備えた電子ピアノの鍵盤装置を示している。同図に示すように、この鍵盤装置１は、鍵盤シャーシ２と、この鍵盤シャーシ２に回動自在に取り付けられた白鍵３ａおよび黒鍵３ｂから成る複数（例えば８８個）の鍵３と、鍵３ごとに鍵盤シャーシ２に回動自在に取り付けられた複数のハンマー４（１つのみ図示）などを備えている。
【００２０】
なお、以下の説明ではまず、図１を参照して、鍵盤装置１の構成および動作の概略を説明し、その後で、ハンマー４の構成および組立方法について詳述するものとする。
【００２１】
鍵盤シャーシ２は、所定の樹脂材料（例えばＡＢＳ樹脂）を射出成形することなどにより、所定形状の樹脂成形品で構成されている。鍵盤シャーシ２の前部（図１の左部）１１、中央部１２および後部（図１の右部）１３は、互いにリブ（図示せず）で連結された状態で一体に構成され、それぞれが左右方向（図１の表裏方向）に延びる前側取付けレール１４、中央取付けレール１５および後側取付けレール１６を介して、電子ピアノの図示しない棚板上に固定されている。なお、以下の説明では、鍵盤シャーシ２の前部１１、中央部１２および後部１３をそれぞれ、「シャーシ前部１１」、「シャーシ中央部１２」および「シャーシ後部１３」と称呼するものとする。
【００２２】
シャーシ前部１１は、上下方向に貫通する左右２つの係合孔１１ａ（図１では１つのみ図示）を一組とし、白鍵３ａごとに設けられた複数組の係合孔１１ａを有しており、各組の左右の係合孔１１ａに、対応する白鍵３ａの後述する左右の上限位置規制部２１が貫通した状態で係合している。また、シャーシ前部１１には、係合孔１１ａの前側の下縁部に、フェルトなどで構成された鍵ストッパ１１ｂが取り付けられている。離鍵状態において、白鍵３ａの上限位置規制部２１が鍵ストッパ１１ｂに下方から当接することで、白鍵３ａの上限位置が規制される。さらに、シャーシ前部１１には、白鍵３ａごとに、その横振れを防止するための複数の前側ガイド部１１ｃ（図１では１つのみ図示）が立設されている。各前側ガイド部１１ｃは、白鍵３ａの内側の横幅（左右方向の幅）とほぼ同じ幅寸法を有していて、白鍵３ａの内側に下方から挿入されている。
【００２３】
シャーシ中央部１２は、左右方向に延びる支軸１２ａを有しており、この支軸１２ａにハンマー４が回動自在に支持されている。また、シャーシ中央部１２には、シャーシ前部１１との間に、各鍵３の押鍵情報を検出するための鍵スイッチ１７が取り付けられている。この鍵スイッチ１７は、プリント基板１７ａと、このプリント基板１７ａ上に鍵３ごとに取り付けられたゴムスイッチからなるスイッチ本体１７ｂとで構成されている。そして、この鍵スイッチ１７は、プリント基板１７ａの後端部がシャーシ中央部１２に差し込まれるとともに、プリント基板１７ａの前端部がシャーシ前部１３にねじ止めされた状態で、鍵盤シャーシ２に取り付けられている。
【００２４】
シャーシ後部１３は、鍵３の後端部に設けられた後述する支点軸２３を支持することにより、この支点軸２３を中心として、鍵３を回動自在に支持する鍵支持部１３ａを有している。また、鍵支持部１３ａの下面後端部には、フェルトなどで構成されたハンマーストッパ１３ｂが取り付けられている。さらに、シャーシ後部１３には、鍵支持部１３ａの前側に、鍵３の後端部の左右両側に配置され、鍵３の横振れを防止するための左右２つの後側ガイド部１３ｃ（図１では１つのみ図示）が立設されている。
【００２５】
また、シャーシ後部１３とシャーシ中央部１２との間には、鍵３とハンマー４の間に、ほぼ水平な平板部１８が設けられている。この平板部１８の前端部には、黒鍵３ｂごとに、その横振れを防止するための複数の前側ガイド部１８ａ（図１では１つのみ図示）が立設されている。各前側ガイド部１８ａは、白鍵３ａの前記前側ガイド部１１ｃと同様、対応する黒鍵３ｂの内側の横幅と同じ幅寸法を有し、黒鍵３ｂの内側に下方から挿入されている。
【００２６】
なお、平板部１８には、ハンマー４ごとに、平板部１８の下面から斜め下前方に突出し、弾性材料で構成された複数のレットオフ部材１９（図１では１つのみ図示）が取り付けられている。このレットオフ部材１９は、押鍵に伴って回動するハンマー４が、その回動中に一時的に係合することにより、鍵３のタッチ感にレットオフ感を付与するものである。
【００２７】
鍵３は、所定の樹脂材料（例えばＡＳなど）を射出成形することなどにより、前後方向に延びるとともに、下方に開放する中空状に形成されている。白鍵３ａの前端部には、左右の側壁から下方に延びかつその下端部が前方に屈曲するように形成された左右一対の上限位置規制部２１、２１（図１では１つのみ図示）が設けられており、前記シャーシ前部１１の左右の係合孔１１ａ、１１ａにそれぞれ貫通した状態で係合している。また、白鍵３ａは、上限位置規制部２１よりも後方の所定位置に、下方に突出するアクチュエータ部２２を有しており、このアクチュエータ部２２が、ハンマー４の後述する係合凹部２６ｂに収容された状態で、これに係合している。さらに、鍵３の後端部には、左右方向に延びる支点軸２３が設けられている。なお、黒鍵３ｂについては、白鍵３ａの上限位置規制部２１およびアクチュエータ部２２に相当する部分が、黒鍵３ｂの前端部の下方に一体に設けられている。
【００２８】
ハンマー４は、ハンマー本体２４と、このハンマー本体２４に着脱自在に取り付けられた錘２５とで構成されている。ハンマー本体２４は、所定の樹脂材料（例えばＰＯＭ（ポリアセタール）など）を射出成形することなどにより、所定形状の樹脂成形品で構成されている。このハンマー本体２４は、前後方向に延び、その前半部（図１の左半部）２６の所定位置に、側面形状が下方に開放するＵ字状の軸受部２６ａを有しており、この軸受部２６ａが、シャーシ中央部１２の支軸１２ａに回動自在に係合している。また、ハンマー本体２４の前半部２６には、軸受部２６ａの前方に、鍵３のアクチュエータ部２２に係合する係合凹部２６ｂが設けられている。この係合凹部２６ｂは、上方および前方に開放しており、鍵３のアクチュエータ部２２の下端が係合凹部２６ｂ内の底面に当接した状態で、アクチュエータ部２２の下部を収容している。さらに、ハンマー本体２４の前半部２６には、係合凹部２６ｂの下方に、鍵スイッチ１７のスイッチ本体１７ｂを押圧するためのスイッチ押圧部２６ｃが設けられている。
【００２９】
ハンマー本体２４の後半部である錘取付け部２７は、右方（図１の表側）に開放する開口部２８を有しており、この開口部２８を介して、錘２５がハンマー本体２４に着脱自在に取り付けられている。また、ハンマー本体２４の錘取付け部２７の所定位置には、上方に突出し、押鍵時に、前記レットオフ部材１９に係合する係合突起２７ａが設けられている。
【００３０】
一方、錘２５は、ハンマー本体２４よりも比重の大きな材料（例えば鉄などの金属）で構成され、ハンマー本体２４の厚さ（図１の表裏方向の厚さ）よりも薄い金属板をプレス加工することなどによって、所定形状に形成されている。この錘２５は、前後方向に延び、その前半部に、ハンマー本体２４の錘取付け部２７に取り付けられた被取付け部２９を有している。また、錘２５は、その被取付け部２９から、シャーシ後部１３の後端付近まで後方に延び、後端部の縦幅（上下方向の幅）が比較的大きく形成されている。
【００３１】
以上のように構成された鍵盤装置１では、図１（ａ）に示す離鍵状態において、鍵３（同図では白鍵３ａ）を押鍵すると、同図（ｂ）に示すように、鍵３が後端部の支点軸２３を中心として反時計方向に回動する。これに伴い、鍵３のアクチュエータ部２２が、ハンマー４の係合凹部２６ｂを下方に押圧する。それにより、ハンマー４は、シャーシ中央部１２の支軸１２ａを中心として反時計方向に回動しながら、スイッチ押圧部２６ｃで鍵スイッチ１７のスイッチ本体１７ｂを上方から押圧する。なお、この場合、ハンマー４は、その後端部（錘２５の後端部）がシャーシ後部１３のハンマーストッパ１３ｂに下方から当接することによって、それ以上の回動が阻止される。以上の押鍵動作により、ハンマー４の重量およびトルクに応じた所定のタッチ重さが、鍵３に付与されるとともに、鍵３の押鍵情報が鍵スイッチ１７を介して検出される。
【００３２】
一方、押鍵した鍵３を離鍵すると、ハンマー４が上記と逆方向に回動し、それに伴い、鍵３が、アクチュエータ部２２を介して押し上げられることにより、上記と逆方向に回動する。その結果、鍵３およびハンマー４が、図１（ａ）に示すように、もとの離鍵状態に復帰する。なお、この場合、鍵３は、その前端部の上限位置規制部２１がシャーシ前部１１の鍵ストッパ１１ｂに下方から当接することによって、それ以上の回動が阻止される。
【００３３】
次に、図２〜図４を参照して、ハンマー４の構成および組立方法、より具体的には、ハンマー本体２４における錘２５の取付け構造、およびハンマー本体２４への錘２５の取付け方法について説明する。
【００３４】
図２および図３に示すように、錘２５が取り付けられるハンマー本体２４の錘取付け部２７は、前後方向に延びる所定形状の左側壁３１と、この左側壁３１の上縁部および下縁部にそれぞれ沿って延びるとともに右方に突出し、互いに対向する上壁３２および下壁３３と、これらの左側壁３１、上壁３２および下壁３３の前端部に連なる前壁３４とで構成されている。そして、これらの左側壁３１、上壁３２、下壁３３および前壁３４によって画成された前後方向に延びる収容部３５に、錘２５の被取付け部２９が収容された状態で、錘２５がハンマー本体２４に取り付けられている。
【００３５】
上壁３２および下壁３３は、ほぼ一定の所定厚さを有しており、それぞれ前後２つずつ、前後方向の幅が比較的大きな凸部を有している。具体的には、上壁３２は、互いに前後方向に間隔を隔てて、上方に突出する前側凸部３６および後側凸部３７を有する一方、下壁３３は、下方に突出する前側凸部３８および後側凸部３９を有している。上壁３２の前側凸部３６は、錘取付け部２７の前壁３４から後方に所定距離、離れた位置に設けられる一方、下壁３３の前側凸部３８は、前壁３４から連なるように設けられている。つまり、これらの前側凸部３６および３８は、互いに前後方向にずれた位置に設けられている。また、上壁３２および下壁３３の後側凸部３７および３９は、互いに上下対称な位置に設けられている。
【００３６】
錘取付け部２７の収容部３５には、上記の上壁３２および下壁３３の前側凸部３６、３８および後側凸部３７、３９により、内方に開放する凹部が形成されている。具体的には、図２（ｂ）に示すように、収容部３５の上部には、上壁３２の前側凸部３６および後側凸部３７にそれぞれ対応する前側凹部３６ａおよび後側凹部３７ａが形成される一方、収容部３５の下部には、下壁３３の前側凸部３８および後側凸部３９にそれぞれ対応する前側凹部３８ａおよび後側凹部３９ａが形成されている。
【００３７】
また、上壁３２および下壁３３の前側凸部３６、３８および後側凸部３７、３９の前端部にはそれぞれ、錘２５の抜け止め用の係止部が設けられている。具体的には、図２（ｂ）および図３に示すように、上壁３２の前側凸部３６および後側凸部３７の前端部には、収容部３５の開放側の端部に、収容部３５の内方に若干突出する係止部３６ｂおよび３７ｂがそれぞれ設けられる一方、下壁３３の前側凸部３８および後側凸部３９の前端部には、上記係止部３６ｂおよび３７ｂと同様の係止部３８ｂおよび３９ｂがそれぞれ設けられている。
【００３８】
上壁３２および下壁３３の後端部には、ハンマー本体２４に取り付けられた錘２５が後方にスライドするのを阻止するための上下一対のフック４１、４１が設けられている。各フック４１は、左側壁３１の後端よりも後方に所定長さ延びるフック片４１ａと、フック片４１ａの後端部に設けられ、内方に突出する鉤状のフック本体４１ｂとで構成されている。なお、各フック４１のフック片４１ａは、それよりも前側の上壁３２や下壁３３の厚さよりも薄く形成されており、上下方向において若干の可撓性を有している。
【００３９】
また、錘取付け部２７の収容部３５の内面には、ハンマー本体２４に錘２５が取り付けられたときに、錘２５の被取付け部２９に圧接することにより、収容部３５における被取付け部２９のがたつきを抑制するための突起が設けられている。具体的には、図２（ｂ）に示すように、左側壁３１には、その内面に互いに前後方向に間隔を隔てて配置され、内方に若干突出する前後２つの突起３１ａ、３１ａが設けられている。また、上壁３２には、前側凸部３６と後側凸部３７の間の内面に、互いに前後方向に間隔を隔てて配置され、左右方向に延びかつ内方に若干突出する前後２つの突起３２ａ、３２ａが設けられている。これと同様に、下壁３３には、前側凸部３８と後側凸部３９の間の内面に、前後２つの突起３３ａ、３３ａが設けられている。さらに、前壁３４には、上壁３２や下壁３３の突起３２ａ、３３ａと同様の突起３４ａが、内面の上下方向の中央に設けられている。
【００４０】
さらに、上壁３２および下壁３３の内面には、前記一対のフック４１、４１と協働して、ハンマー本体２４に取り付けられた錘２５の後方へのスライドを阻止するための上下一対の係合凸部４２、４２が設けられている。両係合凸部４２、４２は、互いに上下対称に形成されており、上側の係合凸部４２は、上壁３２の前後の突起３２ａ、３２ａ間のほぼ中央に設けられ、一方、下側の係合凸部４２は、下壁３３の前後の突起３３ａ、３３ａ間において、上側の係合凸部４２と上下対称に設けられている。また、各係合凸部４２は、上壁３２や下壁３３の内面に対し、傾斜角度が比較的大きい前側傾斜面と、傾斜角度が比較的小さい後側傾斜面とにより、側面形状が楔状に形成されている。
【００４１】
以上のように構成されたハンマー本体２４の錘取付け部２７では、上壁３２、下壁３３および前壁３４によって、前記開口部２８の周縁部が構成され、この開口部２８に収容部３５が連なっている。
【００４２】
錘２５の被取付け部２９は、ハンマー本体２４の錘取付け部２７の開口部２８に対し、相補的な形状を有している。具体的には、図２（ｂ）に示すように、被取付け部２９の上部には、錘取付け部２７における上壁３２側の前側凹部３６ａおよび後側凹部３７ａにそれぞれ対応する前側凸部５１および後側凸部５２が形成されている。また、被取付け部２９の上部には、上壁３２の内面の係合凸部４２に対応し、側面形状が上方に開放するＶ字状の係合凹部５３が形成されており、加えて、この係合凹部５３の直ぐ後ろ側に、上方に開放するコ字状の係止凹部５４が形成されている。さらに、被取付け部２９の上部の後端部には、上壁３２の後端部のフック本体４１ｂに対応し、側面形状が上方に開放するレ字状の係合凹部５５が形成されており、加えて、この係合凹部５５の直ぐ後ろ側に、フック係止部５６が形成されている。
【００４３】
一方、被取付け部２９の下部には、錘取付け部２７における下壁３３側の前側凹部３８ａおよび後側凹部３９ａにそれぞれ対応する前側凸部６１および後側凸部６２が形成されており、これらの凸部６１、６２のうちの後者６２が、前記後側凸部５２と上下対称に形成されている。また、被取付け部２９の下部には、下壁３３の内面の係合凸部４２に対応し、前記係合凹部５３および係止凹部５４とそれぞれ上下対称の係合凹部６３および係止凹部６４が形成されている。さらに、被取付け部２９の下部の後端部には、下壁３３のフック本体４１ｂに対応し、前記係合凹部５５およびフック係止部５６とそれぞれ上下対称の係合凹部６５およびフック係止部６６が形成されている。
【００４４】
次に、図４を参照して、ハンマー本体２４への錘２５の取付け方法について説明する。まず、同図（ａ）に示すように、上記のように構成されたハンマー本体２４および錘２５を準備し、同図（ｂ）に示すように、ハンマー本体２４の開口部２８を介して、錘２５の被取付け部２９を、錘取付け部２７の収容部３５に嵌め込む（嵌込み位置）。この場合、被取付け部２９の前端は、ハンマー本体２４の前壁３４との間に所定距離の隙間を存した状態になる。またこの場合、錘取付け部２７の上壁３２および下壁３３の各突起３２ａ、３３ａは、被取付け部２９の上下の端面によって若干押し潰された状態になり、これに圧接する。これにより、被取付け部２９は、その上下方向に不動に保持される。
【００４５】
なお、上述した収容部３５への被取付け部２９の嵌め込みの際には、錘２５の表裏を間違えることなく、適正に嵌め込むことができる。これは、被取付け部２９の後側凸部５２および６２が上下対称であるものの、前側凸部５１および６１が上下非対称に形成されているため、錘２５の表裏が適正な場合にのみ、被取付け部２９が開口部２８を介して収容部３５に嵌め込み可能になるからである。
【００４６】
次いで、ハンマー本体２４および錘２５の一方を固定し、錘取付け部２７の前壁３４と被取付け部２９の前端とが互いに接近するよう、ハンマー本体２４および錘２５の他方をスライドさせる。例えば、図４（ｂ）において、ハンマー本体２４を固定した場合には、錘２５を前方（同図の左方）にスライドさせる。この場合、錘取付け部２７の上下のフック４１、４１は、被取付け部２９の後端部によって押し広げられることで、フック片４１ａ、４１ａが互いに反対方向に若干撓み、フック本体４１ｂ、４１ｂが、被取付け部２９の上下の係合凹部５５、６５の後壁を乗り越えて、上下のフック係止部５６、６６に係止される。これにより、同図（ｃ）に示すように、錘２５の被取付け部２９は、前記嵌込み位置から前方にずれた固定位置に保持され、ハンマー４の組立が終了する。
【００４７】
このハンマー４では、錘２５の被取付け部２９における上下の前側凸部５１、６１および後側凸部５２、６２の前端部がそれぞれ、ハンマー本体２４の錘取付け部２７における左側壁３１と、上下の前側凹部３６ａ、３８ａの係止部３６ｂ、３８ｂおよび後側凹部３７ａ、３９ａの係止部３７ｂ、３９ｂとの間に挟持される。その結果、被取付け部２９は、前側凸部５１、６１および後側凸部５２、６２の４箇所において、錘取付け部２７の４つの係止部３６ｂ、３７ｂ、３８ｂおよび３９ｂにより、開口部２８から離脱不能な状態になる。またこの場合、錘取付け部２７の左側壁３１の各突起３１ａは、被取付け部２９の左側面によって若干押し潰された状態になり、これに圧接する。これにより、被取付け部２９は、その厚さ方向に不動に保持される。
【００４８】
また、このハンマー４では、前述したように、錘取付け部２７の上下のフック本体４１ｂ、４１ｂがそれぞれ、被取付け部２９のフック係止部５６、６６に係止され、加えて、錘取付け部２７の上下の係合凸部４２、４２がそれぞれ、被取付け部２９の上下の係止凹部５４、６４に係止される。その結果、固定位置に位置する被取付け部２９は、嵌込み位置へのスライドが不能な状態になる。またこの場合、錘取付け部２７の前壁３４の突起３４ａは、被取付け部２９の前端面によって若干押し潰された状態になり、これに圧接する。これにより、被取付け部２９は、その長さ方向（図４の左右方向）に不動に保持される。
【００４９】
以上のように、本実施形態によれば、錘２５の被取付け部２９が、ハンマー本体２４の錘取付け部２７に対し、上下方向、厚さ方向および長さ方向に不動に保持されるので、錘２５がハンマー本体２４に、がたつきなくしっかりと取り付けられたハンマー４を得ることができる。また、ハンマー４の組立時には、ハンマー本体２４に対し、その錘取付け部２７の開口部２８を介して、錘２５の被取付け部２９を収容部３５に嵌め込み、スライドさせるという比較的簡単な作業で、ハンマー４を容易に組み立てることができる。
【００５０】
なお、上記ハンマー４を備えた電子ピアノを廃棄処分する際に、ハンマー４を分解し、樹脂製のハンマー本体２４と金属製の錘２５とに分別する場合、前述したハンマー４の組立と逆の手順により、錘２５をハンマー本体２４から比較的容易に取り外すことができる。具体的には、錘２５の被取付け部２９を、嵌込み位置側にスライドさせるよう、被取付け部２９に所定の大きさの外力を作用させると、錘取付け部２７のフック４１、４１および係合凸部４２、４２による被取付け部２９との係合が解除され、被取付け部２９が嵌込み位置にスライドする。そして、錘取付け部２７の収容部３５から、その開口部２８を介して、被取付け部２９を取り外す。このように、ハンマー４の分解も、容易に行うことができる。
【００５１】
次に、図５および図６を参照して、本発明の第２実施形態によるハンマー７１の構成および組立方法について説明する。なお、以下の説明では、前述した第１実施形態のハンマー４と同様の構成部分については適宜、同じ符号を付して、その詳細な説明を省略し、ハンマー４との相違点を中心に説明するものとする。
【００５２】
図５に示すように、ハンマー７１は、樹脂成形品のハンマー本体７２と、金属製の錘７３と、錘７３の抜け止め用の錘止め部材７４とで構成されている。ハンマー本体７２の錘取付け部２７における上壁３２および下壁３３にはそれぞれ、第１実施形態のハンマー本体２４の錘取付け部２７よりも１つ多い３つずつの凸部を有している。具体的には、上壁３２には、前側凸部３６および後側凸部３７に加えて、両凸部３６、３７の間に、中央凸部７５が設けられている。一方、下壁３３には、前側凸部３８および後側凸部３９に加えて、上記中央凸部７５と上下対称の中央凸部７６が設けられている。
【００５３】
また、上記の６つの凸部３６〜３９、７５および７６により、錘取付け部２７の収容部３５には、内方に開放する凹部が形成されている。具体的には、収容部３５の上部には、上壁３２の前側凸部３６、後側凸部３７および中央凸部７５にそれぞれ対応する前側凹部３６ａ、後側凹部３７ａおよび中央凹部７５ａが形成される一方、収容部３５の下部には、下壁３３の前側凸部３８、後側凸部３９および中央凸部７６にそれぞれ対応する前側凹部３８ａ、後側凹部３９ａおよび中央凹部７６ａが形成されている。
【００５４】
さらに、上壁３２および下壁３３の前側凸部３６、３８、後側凸部３７、３９、および中央凸部７５、７６には、第１実施形態のハンマー本体２４とは逆に、それぞれの後端部に、錘７３の被取付け部２９の抜け止め用の係止部が設けられている。具体的には、上壁３２の前側凸部３６、後側凸部３７および中央凸部７５の後端部には、収容部３５の開放側の端部に、係止部３６ｂ、３７ｂおよび７５ｂがそれぞれ設けられる一方、下壁３３の前側凸部３８、後側凸部３９および中央凸部７６の後端部に、係止部３８ｂ、３９ｂおよび７６ｂがそれぞれ設けられている。
【００５５】
また、錘取付け部２７の左側壁３１には、その前端部に、錘止め部材７４が着脱自在に取り付けられる取付け孔７２ａが形成されている。
【００５６】
一方、錘７３の被取付け部２９は、ハンマー本体７２の錘取付け部２７の開口部２８に対し、相補的な形状を有している。具体的には、被取付け部２９の上部には、上壁３２側の前側凹部３６ａ、後側凹部３７ａおよび中央凹部７５ａにそれぞれ対応する前側凸部５１、後側凸部５２および中央凸部８１が形成されている。一方、被取付け部２９の下部には、下壁３３側の前側凹部３８ａ、後側凹部３９ａおよび中央凹部７６ａにそれぞれ対応する前側凸部６１、後側凸部６２および中央凸部８２が形成されている。これらの凸部６１、６２、８２は、互いに同じサイズに形成されるとともに、中央および後側の２つの凸部８２および６２が、上側の中央凸部８１および後側凸部５２と上下対称に形成されている。また、被取付け部２９の上側の前側凸部５１は、下側の前側凸部６１よりも、前後方向の幅が大きく、前方に突出するように形成されている。
【００５７】
錘止め部材７４は、ハンマー本体７２と同様の樹脂材料から成る樹脂成形品で構成されている。また、この錘止め部材７４は、比較的小さなブロック状に形成されており、錘取付け部２７の左側壁３１の前記取付け孔７２ａに圧入される突起（図示せず）を有している。
【００５８】
次に、図６を参照して、ハンマー本体７２への錘７３の取付け方法について説明する。まず、同図（ａ）に示すように、ハンマー本体７２、錘７３および錘止め部材７４を準備し、前記第１実施形態と同様、同図（ｂ）に示すように、ハンマー本体７２の開口部２８を介して、錘７３の被取付け部２９を、錘取付け部２７の収容部３５に嵌め込む（嵌込み位置）。この場合、被取付け部２９の前端は、錘取付け部２７の前壁３４に近接する。
【００５９】
次いで、ハンマー本体７２および錘７３の一方を固定し、第１実施形態とは逆に、錘取付け部２７前壁３４と被取付け部２９の前端とが互いに離れるよう、ハンマー本体７２および錘７３の他方をスライドさせる。例えば、図６（ｂ）において、ハンマー本体７２を固定した場合には、錘７３を後方（同図の右方）へスライドさせる。これにより、錘取付け部２７の取付け孔７２ａが開口部２８を介して外部に臨む。そして、錘止め部材７４を、錘取付け部２７の前壁３４と被取付け部２９の前端との間に挿入するとともに、取付け孔７２ａに圧入する。これにより、同図（ｃ）に示すように、錘７３の被取付け部２９は、前記嵌込み位置から後方にずれた固定位置に保持され、ハンマー７１の組立が終了する。
【００６０】
このハンマー７１では、錘７３の被取付け部２９における上下の前側凸部５１、６１、後側凸部５２、６２および中央凸部８１、８２の後端部がそれぞれ、ハンマー本体７２の錘取付け部２７における左側壁３１と、上下の係止部３６ｂ、３７ｂ、３７ｂ、３８ｂ、７５ｂおよび７６ｂとの間に挟持される。その結果、被取付け部２９は、開口部２８から離脱不能な状態になるとともに、厚さ方向に不動に保持される。加えて、錘止め部材７４が、いわば楔として機能することにより、固定位置に位置する被取付け部２９は、嵌込み位置へのスライドが不能な状態になるとともに、長さ方向に不動に保持される。
【００６１】
以上のように、本実施形態によれば、第１実施形態と同様、錘７３がハンマー本体７２に、がたつきなくしっかりと取り付けられたハンマー７１を得ることができる。また、ハンマー７１の組立時には錘止め部材７４を取付け作業が必要である一方、ハンマー７１の分解時には錘止め部材７４の取外し作業が必要であるものの、ハンマー７１の組立および分解を比較的容易に行うことができる。
【００６２】
なお、本発明は、説明した上記実施形態に限定されることなく、種々の態様で実施することができる。実施形態では、電子ピアノに適用されたハンマー４、７１について説明したが、本発明は、他の電子鍵盤楽器のハンマーにも、もちろん適用することができる。
【００６３】
また、実施形態では、ハンマー４、７１の組立時に、錘２５、７３の被取付け部２９を、ハンマー本体２４、７２の錘取付け部２７の収容部３５に嵌め込んだ後、被取付け部２９を収容部３５に対して前後方向にスライドさせることによって、被取付け部２９を開口部２８から離脱不能な状態としたが、本発明はこれに限定されるものではなく、被取付け部２９の嵌め込み方向である左右方向と異なる方向に、スライドさせるように、錘およびハンマー本体を構成することも可能である。また、実施形態で示したハンマー４、７１の細部の構成などは、あくまで例示であり、本発明の趣旨の範囲内で適宜、変更することができる。
【符号の説明】
【００６４】
１    鍵盤装置
３    鍵
４    ハンマー
２４    ハンマー本体
２５    錘
２７    錘取付け部
２８    開口部
２９    被取付け部
３１ａ  突起
３２ａ  突起
３３ａ  突起
３４ａ  突起
３５    収容部
３６ｂ  係止部
３７ｂ  係止部
３８ｂ  係止部
３９ｂ  係止部
４１    フック（保持部）
４２    係合凸部（保持部）
７１    ハンマー
７２    ハンマー本体
７３    錘
７４    錘止め部材（保持部）
７５ｂ  係止部
７６ｂ  係止部
【図１】
2011022472.tif 000003
【図２】
2011022472.tif 000004
【図３】
2011022472.tif 000005
【図４】
2011022472.tif 000006
【図５】
2011022472.tif 000007
【図６】
2011022472.tif 000008